(57)【要約】【課題】マウスケースは掌宛い面をもつ本体ケースと一対のクリックボタンをもつ可動ケースとに分割形成され、本体ケースと可動ケースとが旋回調節機構により旋回調節自在に連結されていることにより、オペレータの手の大きさやマウス操作の癖、利き手などの個性差に応じ、本体ケースと可動ケースとが旋回調節機構により旋回調節することができる。【解決手段】手の平を宛てがう掌宛い面Ｈをもつマウスケース１に一対のクリックボタンＫ及び移動検出手段６を設けてなり、マウスケースは掌宛い面をもつ本体ケース２と一対のクリックボタンをもつ可動ケース３とに分割形成され、本体ケースと可動ケースとが旋回調節機構４により旋回調節自在に連結されている。【選択図】図１
2005259020.tif 000002
【特許請求の範囲】
【請求項１】
手の平を宛てがう掌宛い面をもつマウスケースに一対のクリックボタン及び移動検出手段を設けてなり、上記マウスケースは上記掌宛い面をもつ本体ケースと一対のクリックボタンをもつ可動ケースとに分割形成され、該本体ケースと該可動ケースとが旋回調節機構により旋回調節自在に連結されていることを特徴とするマウス。
【請求項２】
上記可動ケースに画面をスクロールするためのホイールを設けてなることを特徴とする請求項１記載のマウス。
【請求項３】
上記可動ケースの旋回軸線を該移動検出手段の検出軸線と同軸線上に配置してなることを特徴とする請求項１又は２記載のマウス。
【請求項４】
上記可動ケースは上記本体ケースに搭載状態に設けられていることを特徴とする請求項１又は２記載のマウス。
【請求項５】
上記可動ケースは上記本体ケースの外周に沿って旋回可能に設けられていることを特徴とする請求項１又は２記載のマウス。
【発明の詳細な説明】
【技術分野】
【０００１】
本発明は例えばコンピューターの入力装置として用いられるマウスに関するものである。
【背景技術】
【０００２】
従来、この種のマウスとして、手の平を宛てがう掌宛い面をもつマウスケースに人差し指や中指によりクリック操作可能な一対のクリックボタン、画面をスクロール操作可能なホイール及びマウスカーソルを移動するための移動検出手段を設けてなる構造のものが知られている。この移動検出手段としてボールの回転量及び回転方向を検出する機械的移動検出手段及び光学的に移動を検出する光学的移動検出手段等が知られている。
【特許文献１】特開２００２−３６６３００号公報
【特許文献２】実用新案登録第３０９０５９７号公報
【発明の開示】
【発明が解決しようとする課題】
【０００３】
しかしながら上記従来構造の場合、手の平を宛てがう掌宛い面をもつマウスケースに一対のクリックボタンや画面をスクロール操作可能なホイールが一体的に設けられ、掌宛い面とクリックボタンとの相対的な位置関係は固定されており、このため、オペレータの手の大きさやマウス操作の癖、利き手などの個性差によって、マウスをつかむ姿勢が不自然となることがあり、親指の付け根、手首に不自然な力が入ってしまい、使い勝手が悪かったり、疲れ易く、腱鞘炎等の障害を招く原因となったりすることがあるという不都合を有している。
【課題を解決するための手段】
【０００４】
本発明はこれらの不都合を解決することを目的とするもので、本発明のうちで、請求項１記載の発明は、手の平を宛てがう掌宛い面をもつマウスケースに一対のクリックボタン及び移動検出手段を設けてなり、上記マウスケースは上記掌宛い面をもつ本体ケースと一対のクリックボタンをもつ可動ケースとに分割形成され、該本体ケースと該可動ケースとが旋回調節機構により旋回調節自在に連結されていることを特徴とするマウスにある。
【０００５】
又、請求項２記載の発明は、上記可動ケースに画面をスクロールするためのホイールを設けてなることを特徴とするものであり、又、請求項３記載の発明は、上記可動ケースの旋回軸線を該移動検出手段の検出軸線と同軸線上に配置してなることを特徴とするものであり、又、請求項４記載の発明は、上記可動ケースは上記本体ケースに搭載状態に設けられていることを特徴とするものであり、又、請求項５記載の発明は、上記可動ケースは上記本体ケースの外周に沿って旋回可能に設けられていることを特徴とするものである。
【発明の効果】
【０００６】
本発明は上述の如く、請求項１記載の発明にあっては、マウスケースは上記掌宛い面をもつ本体ケースと一対のクリックボタンをもつ可動ケースとに分割形成され、本体ケースと可動ケースとが旋回調節機構により旋回調節自在に連結されていることにより、オペレータの手の大きさやマウス操作の癖、利き手などの個性差に応じ、本体ケースと可動ケースとが旋回調節機構により旋回調節することができ、この旋回調節によりマウスケースを自然な姿勢でつかむことができ、それだけ、親指の付け根、手首に不自然な力が入ることを防ぎ、使い勝手を高めることができ、楽に使用することができ、操作性を高めることができる。
【０００７】
又、請求項２記載の発明にあっては、上記可動ケースにパソコン等の画面をスクロールするためのホイールを設けているから、ホイールの回転により画面スクロールを行うことができ、又、請求項３記載の発明にあっては、上記可動ケースの旋回軸線を移動検出手段の検出軸線と同軸線上に配置してなるから、可動ケースを旋回調節してもボールの検出軸線は変わらないので旋回調節に伴う使用の違和感をなくすことができ、使用快適性を高めることができる。
【０００８】
又、請求項４記載の発明にあっては、上記可動ケースは上記本体ケースに搭載状態に設けられているから、可動ケースを本体ケースに対して旋回調節しても、マウスケースの全体形状は変わらないので、旋回調節に伴う形態の違和感をなくすことができ、又、請求項５記載の発明にあっては、上記可動ケースは上記本体ケースの外周に沿って旋回可能に設けられているから、可動ケースの旋回角度を大きく取ることができる。
【発明を実施するための最良の形態】
【０００９】
図１乃至図９は本発明の実施の形態例を示し、図１乃至図３は第一形態例、図４乃至図６は第二形態例、図７乃至図９は第三形態例である。
【００１０】
図１乃至図３の第一形態例において、１はマウスケースであって、オペレータの手の平を宛てがう掌宛い面Ｈもつ本体ケース２と、一対のクリックボタンＫ・Ｋ及び画面をスクロールするためのホイールＧをもつ可動ケース３とに分割形成され、この本体ケース２と可動ケース３とが旋回調節機構４により旋回調節自在に連結され、本体ケース２の下部にボール５の回転量及び回転方向を検出する機械的な移動検出手段６が設けられ、かつ、本体ケース２の内部にパソコンに対して信号を送受信するためのケーブル伝達手段や赤外線や電磁波等によるワイヤレス伝達手段が設けられている。
【００１１】
この場合、上記旋回調節機構４として、上記本体ケース２にガイドピン７・７を植設し、上記可動ケース３にガイドピン７・７に摺動自在な弧状の案内溝部８・８を形成すると共に案内溝部８・８の内面にデテント機能を果たす波状の板バネ９を配置し、かつ、図示省略の抜け止め手段を設け、ガイドピン７・７と案内溝部８・８との摺動嵌合により可動ケース３を本体ケース２に左右振分の旋回角度２θで旋回調節自在に連結し、上記移動検出手段６としての上記ボール５の中心を通るマウスパッド面の法線としての検出軸線Ｎと上記可動ケース３の旋回軸線Ｏとを同軸線上に配置して構成している。
【００１２】
この第一形態例は上記構成であるから、マウスケース１は上記掌宛い面Ｈをもつ本体ケース２と一対のクリックボタンＫ・Ｋをもつ可動ケース３とに分割形成され、本体ケース２と可動ケース３とが旋回調節機構４により旋回調節自在に連結されていることにより、オペレータの手の大きさやマウス操作の癖、利き手などの個性差に応じ、本体ケース２と可動ケース３とが旋回調節機構４により旋回調節することができ、この旋回調節によりマウスケース１を自然な姿勢でつかむことができ、それだけ、親指の付け根、手首に不自然な力が入ることを防ぎ、使い勝手を高めることができ、楽に使用することができ、操作性を高めることができる。
【００１３】
又、この場合、上記可動ケース３にパソコン等の画面をスクロールするためのホイールＧを設けているから、ホイールＧの回転により画面スクロールを行うことができ、又、この場合、上記可動ケース３の旋回軸線Ｏを移動検出手段６の検出軸線Ｎと同軸線上に配置してなるから、可動ケース３を旋回調節してもボール５の検出軸線Ｎは変わらないので旋回調節に伴う使用の違和感をなくすことができ、使用快適性を高めることができる。
【００１４】
図４乃至図６の第二形態例は別例構造を示し、この場合、上記可動ケース３は上記本体ケース２に搭載状態に設けられている。
【００１５】
すなわち、本体ケース２に収納凹部２ａを形成し、可動ケース３を収納凹部２ａ内に載置可能な円盤状に形成し、可動ケース３にクリックボタンＫ・Ｋ及び画面をスクロールするためのホイールＧを設け、本体ケース２に掌宛い面Ｈを形成すると共にボール５からなる上記移動検出手段６を設け、可動ケース３に先細りテーパー状の差込杆３ａを形成すると共に本体ケース２に差込杆３ａに抜差嵌着可能なテーパー穴２ｂを形成し、かつ、差込杆３ａの先端部外周面に凹環状部３ｂを形成すると共にテーパー穴２ｂの内周面に凹環状部３ｂに嵌着可能な環状凸部３ｃを形成し、差込杆３ａとテーパー穴２ｂとの抜き差し圧嵌合により可動ケース３を本体ケース２に対して旋回調節自在に設けて構成している。
【００１６】
この第二形態例は上記構成であるから、上記第一形態例と同様な作用効果を得ることができると共に上記可動ケース３は上記本体ケース２に搭載状態に設けられているから、可動ケース３を本体ケース２に対して旋回調節しても、マウスケース１の全体形状は変わらないので、旋回調節に伴う形態の違和感をなくすことができる。
【００１７】
図７乃至図９の第三形態例は別例構造を示し、この場合、上記可動ケース３は上記本体ケース２の外周に沿って旋回可能に設けられている。
【００１８】
すなわち、可動ケース３にクリックボタンＫ・Ｋ及び画面をスクロールするためのホイールＧ、ボール５からなる上記移動検出手段６を設け、本体ケース２に掌宛い面Ｈを形成すると共に可動ケース３に旋回レバー３ｄを水平突設し、旋回レバー３ｄに先細りテーパー状の差込杆３ｅを形成すると共に本体ケース２に差込杆３ｅに抜差嵌着可能なテーパー穴２ｃを形成し、かつ、差込杆３ｅの先端部外周面に凹環状部３ｆを形成すると共にテーパー穴２ｃの内周面に凹環状部３ｆに嵌着可能な環状凸部３ｇを形成し、差込杆３ｅとテーパー穴２ｃとの抜き差し圧嵌合により可動ケース３を本体ケース２に対して旋回調節自在に設けて構成している。
【００１９】
この第三形態例は上記構成であるから、上記第一形態例と同様な作用効果を得ることができると共に上記可動ケース３は上記本体ケース２の外周に沿って旋回可能に設けられているから、可動ケース３の旋回角度２θを大きく取ることができる。
【００２０】
尚、本発明は上記実施の形態例に限られるものではなく、例えば、マウスケース１、本体ケース２、可動ケース３の形態や構造、旋回調節機構４の構造等は適宜設計して変更されるものである。
【００２１】
以上、所期の目的を充分達成することができる。
【図面の簡単な説明】
【００２２】
【図１】本発明の実施の第一形態例の全体平面図である。
【図２】本発明の実施の第一形態例の全体側面図である。
【図３】本発明の実施の第一形態例の部分平断面図である。
【図４】本発明の実施の第二形態例の全体平面図である。
【図５】本発明の実施の第二形態例の部分側面図である。
【図６】本発明の実施の第二形態例の部分拡大断面図である。
【図７】本発明の実施の第三形態例の全体平面図である。
【図８】本発明の実施の第三形態例の全体側面図である。
【図９】本発明の実施の第三形態例の部分平断面図である。
【符号の説明】
【００２３】
Ｋ    クリックボタン
Ｈ    掌宛い面
Ｎ    検出軸線
Ｏ    旋回軸線
１    マウスケース
２    本体ケース
３    可動ケース
４    旋回調節機構
【図１】
2005259020.tif 000003
【図２】
2005259020.tif 000004
【図３】
2005259020.tif 000005
【図４】
2005259020.tif 000006
【図５】
2005259020.tif 000007
【図６】
2005259020.tif 000008
【図７】
2005259020.tif 000009
【図８】
2005259020.tif 000010
【図９】
2005259020.tif 000011